(57)【特許請求の範囲】
【請求項１】
ランプケーシング、及び、その内部に設けられた光源長尺モジュールを備え、
前記光源長尺モジュールは、ＬＥＤ照明において、単独で着脱可能な一体型構造であり、
当該構造は、ＬＥＤ光源、及び、棒状ＬＥＤ光源取り付け用台座を有しており、
前記ランプケーシング内側には、挿入溝が設けられており、
前記ランプケーシングにはカバーが設けられており、
前記カバーのうち挿入溝に対応する位置に通過孔が設けられており、
前記光源長尺モジュールは、通過孔を通じて前記ランプケーシングに設けられた挿入溝に挿入された状態で固定されており、
当該通過孔は、シール部材で密封されている
ことを特徴とする着脱容易なＬＥＤ照明ランプ。
【請求項２】
前記光源長尺モジュールには電気プラグが設けられており、
前記ランプケーシングにはコンセントが設けられている
ことを特徴とする請求項１記載の着脱容易なＬＥＤ照明ランプ。
【請求項３】
前記光源長尺モジュールには電気プラグが設けられており、
前記カバーには前記電気プラグに適用されるコンセントが設けられている
ことを特徴とする請求項１記載の着脱容易なＬＥＤ照明ランプ。
【請求項４】
前記ランプケーシングと前記ＬＥＤ光源取り付け用台座は、いずれも細長い形状であり、
前記ＬＥＤ光源取り付け用台座は、前記挿入溝を介して前記ランプケーシングに挿入された状態で固定されている、
ことを特徴とする請求項１記載の着脱容易なＬＥＤ照明ランプ。
【請求項５】
前記シール部材は、密封栓または密封カバーである
ことを特徴とする請求項１記載の着脱容易なＬＥＤ照明ランプ。
【請求項６】
前記光源長尺モジュールはＬＥＤ光源用基板を有し、
前記光源長尺モジュールは、前記ＬＥＤ光源と、前記ＬＥＤ光源取り付け用台座と、前記ＬＥＤ光源用基板と、が一体化された構造である
ことを特徴とする請求項１記載の着脱容易なＬＥＤ照明ランプ。
【請求項７】
前記ＬＥＤ光源取り付け用台座の一端には前記ランプケーシングから引き出すための取手が設けられている
ことを特徴とする請求項１記載の着脱容易なＬＥＤ照明ランプ。
【発明の詳細な説明】
【技術分野】
【０００１】
本発明はＬＥＤ照明分野に関して、具体的には、着脱容易なＬＥＤ照明ランプに関する。
【背景技術】
【０００２】
ＬＥＤは照明光源として、省エネ、環境保全、高効率というメリットが著しく、既に様々な場合の照明として広く利用されている。通常のＬＥＤ照明ランプの設置では、一般的には、いくつかのネジを用いてＬＥＤ光源をランプケーシングに取り付けて固定される。この構造物の設置は複雑であり、特に大型の照明器具では、時間を要し、ネジの締付けにおいて取付位置がずれてしまい、さらには光源に損傷を生じさせてしまうことがある。また、照明器具を取り外して修理する場合には、現場でＬＥＤ光源を外すことがたいへん面倒である。また、高レベルの保護が求められる照明器具では、ランプケーシングには特殊な構造が求められる。例えば、ランプケーシングが封閉式構造である場合に、ランプケーシング内部の各々の部位をネジで締め付けて取付けることは実現不可能となる。
【発明の概要】
【発明が解決しようとする課題】
【０００３】
本発明は上記の技術問題を解決するために、一体型光源構造が採用されており、簡単な挿し込みや抜き取りによってＬＥＤ光源長尺モジュールをランプケーシングに着脱でき、比較的大型のランプケーシングを開ける作業や工具を用いて多くのネジを緩める作業を不要とし、操作手順をさらに簡素化させ、照明器具の取り付け取り外しがより簡単で便利であるＬＥＤ照明ランプを提供する。
【課題を解決するための手段】
【０００４】
本発明は上記の目的を達成するために、以下の技術を採用する。
【０００５】
着脱容易なＬＥＤ照明ランプであり、ランプケーシング及びその内部に設けられた光源長尺モジュールを備え、前記光源長尺モジュールはＬＥＤ照明において単独で着脱可能な一体型構造であり、当該構造はＬＥＤ光源及び棒状ＬＥＤ光源取り付け用台座を有しており、前記ランプケーシング内側には挿入溝が設けられており、前記ランプケーシングにはカバーが設けられており、前記カバーのうち挿入溝に対応する位置に通過孔が設けられており、前記光源長尺モジュールは通過孔を通じて前記ランプケーシングに設けられた挿入溝に挿入された状態で固定されており、当該通過孔は、シール部材で密封されている。
【０００６】
前記光源長尺モジュールには電気プラグが設けられており、前記ランプケーシングにはコンセントが設けられている。
【０００７】
前記光源長尺モジュールには電気プラグが設けられており、前記カバーには前記電気プラグに適用されるコンセントが設けられている。
【０００８】
前記ランプケーシングと前記ＬＥＤ光源取り付け用台座は、いずれも細長い形状であり、前記ＬＥＤ光源取り付け用台座は、前記挿入溝を介して前記ランプケーシングに挿入された状態で固定されている。
【０００９】
前記シール部材は、密封栓または密封カバーである。
【００１０】
前記光源長尺モジュールはＬＥＤ光源用基板を有しており、前記光源長尺モジュールは、前記ＬＥＤ光源と、前記ＬＥＤ光源取り付け用台座と、前記ＬＥＤ光源用基板と、が一体化された構造である。
【００１１】
前記ＬＥＤ光源取り付け用台座の一端には前記ランプケーシングから引き出すための取手が設けられている。
【発明の効果】
【００１２】
本発明の技術提案により得られる効果を以下に示す。
【００１３】
本発明は、一体型光源構造が採用されており、ＬＥＤ光源長尺モジュールを１つの通過孔に通過させて、簡単な抜き差し方式によってランプの着脱を容易に行うことができる。この構造の利点は、特に、ランプを設置して使用する場合において、ランプの日常的なもしくは異常故障時のメンテナンスの際に、制限された使用現場においても操作が非常に簡単になることにある。現場において、なんら工具を用いることなく、密閉カバーを開けて光源長尺モジュールを取り外すことが可能になる。
【図面の簡単な説明】
【００１４】
【図１】本発明の実施例１を示す構造図である。
【図２】図１の構造分解図である。
【図３】図１の光源長尺モジュールを示す構造図である。
【図４】図１の一つのカバーを示す構造図である。
【図５】図１のもう一つのカバーを示す構造図である。
【図６】この実施例の分解状態を示す構造図である。
【図７】本発明の実施例２を示す構造図である。
【発明を実施するための形態】
【００１５】
以下の付図や具体的な実施例は本発明の技術提案について詳しい説明をした。
【００１６】
図１〜図３に示すように、本発明はランプケーシング１及び光源長尺モジュール２を含む着脱容易なＬＥＤ照明ランプを提供する。この実施例におけるＬＥＤ照明ランプは、反射式ＬＥＤ照明ランプである。ランプケーシング１はアーチ型のアルミ製の細長い形状であり、アーチ部は封閉式構造である。ランプケーシング１の引っ張り方向においては、その底近くに挿入溝１０が設けられている。光源長尺モジュール２は、ＬＥＤ照明において単独で着脱できる一体型構造であり、その全体構造は、ＬＥＤ光源２０とＬＥＤ光源２０用の基板２１とＬＥＤ光源取り付け用台座２２が一体化された構造であり、基板２１の一端には電気プラグ４が設けられている。図４及び図５に示すように、ランプケーシング１の両端には、それぞれカバー５とカバー６が設けられている。カバー５とカバー６は、内側にシールガスケット９が設けられ、ランプケーシング１にネジで固定される。カバー５には、通過孔５０が設けられている。ランプケーシングの片側にＬＥＤ光源を取り付ける場合であれば１つの通過孔を設置すればよいが、両側に取り付けられる場合であれば２つの通過孔を設置する必要がある。ＬＥＤ光源取り付け用台座２２は、通過孔５０を通じてランプケーシング１の挿入溝１０に挿入される。ランプケーシングの放熱をいっそう向上させるためには、光源長尺モジュール２から生じた熱量をランプケーシング１によって分散させるために、ＬＥＤ光源取り付け用台座とランプケーシング１の間に一定の接触面積を形成するべきである。カバー６の内側に電気コンセント７を取り付け、ＬＥＤ光源取り付け用台座２２をランプケーシング１に挿入した後に、基板２１の一端の電気プラグ４にコンセント７を挿入して通電する。更にＬＥＤ光源取り付け用台座２２をランプケーシング１の挿入溝１０から抜け出しやすくするために、ＬＥＤ光源取り付け用台座２２の一端には１個の取手１１が設けられている。そして、通過孔５０の外部に密封カバー８をスクリュー方式で取り付ける。
【００１７】
ランプケーシング１のアーチ部内側には反射膜が貼り付けられている。ＬＥＤ光源２０と反射膜の相対位置及びランプケーシング１におけるアーチ部の弯曲度はソフトウエアによる計算で得られた照度と照明効果によって決められ、ソフトウエアとしては、例えば、dialux（ダイアルクス）ソフトウエア（ランプ照明分野に広く利用され、照明効果において正確に計算・アナログを行うことができるソフトウエア）、或いはその他ソフトウエアを用いることができる。
【００１８】
図６に示すように、本発明のＬＥＤ照明ランプでは、着脱する際には、密封カバー８をひねり開けて、ＬＥＤ光源取り付け用台座２２に設けられている取手１１を引き出すだけで光源長尺モジュール２を取り出すことができる。このため、現場においては如何なる工具も必要なく、非常に簡単に操作することができる。
【００１９】
図７は本発明の実施例２を示す構造図である。実施例１との違いはこの実施例は直下型ＬＥＤ照明ランプであることにある。光源長尺モジュール２の各ＬＥＤ光源２０には、それぞれレンズ２３が設けられている。ランプケーシングの出光面には、ガラスマスク３が取り付けられている。
【００２０】
上記の実施例は本発明の技術提案に係る棒状反射式ＬＥＤ照明ランプに関する具体的な実施例であるが、本発明の保護範囲は当該実施例に限定されるものではない。従って、本発明の具体的な実施例に対し本発明の思想や範囲を換えない限り、当該分野の技術者は各種の変更が可能である。ただし、その修正または変更は本発明請求項及びその同等技術範囲内にある場合、例えば：美観や実用に必要と認められる場合、ランプケーシングの形状を円形または四角形、或いはその他形状に設計することができる。また、放熱効果をさらに向上させるために、ＬＥＤ光源長尺モジュールのＬＥＤをＬＥＤ光源取り付け用台座に直接貼り付け、基板を設けずに一層構造とした場合も、本発明に含まれるものである。
【００２１】
以上、本発明の具体的実施例を説明した。理解に必要とされるものであり、本発明は上述の特定の実施例に限られるものではなく、本分野の技術者であれば権利要求の範囲内において各種変更や改良を行うことができ、これはまた本発明の実質的な内容に影響を及ぼさない。
【図１】
0005968522.tif 000002
【図２】
0005968522.tif 000003
【図３】
0005968522.tif 000004
【図４】
0005968522.tif 000005
【図５】
0005968522.tif 000006
【図６】
0005968522.tif 000007
【図７】
0005968522.tif 000008